(57)【要約】【課題】物品を吊り下げて保持する際に適した吊り下げ用のステッカを提供する。【解決手段】合成樹脂材で一体成形され、板状のベース部１１の表面側中央部分に突起部１２が立設されるとともに突起部をベース部の左右方向に沿って貫通する吊り下げ孔１３が形成され、ベース部１１の裏面側には物品に貼着するための貼着部１４が形成された物品の吊り下げ用ステッカ１０であって、ベース部１１は突起部１２が立設する中央部分が厚く、ベース部１１の左右方向に沿って周縁近傍が薄くなるように板厚を変化させて形成される構造とする。【選択図】図１
2016158781.tif 000002
【特許請求の範囲】
【請求項１】
板状のベース部と前記ベース部の表面側中央に立設する突起部とが合成樹脂材で一体成形され、前記ベース部の裏面側には接着手段を有する貼着部が形成され、前記突起部には前記ベース部の面方向に沿って貫通する吊り下げ孔が形成され、
前記ベース部は、前記突起部が立設する中央の板厚が厚く形成され、かつ、少なくとも一軸方向に沿って周縁に近づくにつれて次第に薄く変化するように形成されるとともに周縁側で湾曲可能に形成してある吊り下げ用ステッカ。
【請求項２】
前記吊り下げ孔の孔軸方向に沿ってベース部の板厚が変化するように形成される請求項１に記載の吊り下げ用ステッカ。
【請求項３】
前記ベース部および前記突起部がＥＶＡ樹脂、ポリエチレン樹脂、ポリプロピレン樹脂、ナイロン樹脂のいずれかからなる請求項１または請求項２に記載の吊り下げ用ステッカ。
【請求項４】
前記ベース部の最大板厚が１．５ｍｍ以下であり、前記ベース部の最小板厚が０．１ｍｍ以上である請求項１〜請求項３のいずれかに記載の吊り下げ用ステッカ。
【発明の詳細な説明】
【技術分野】
【０００１】
本発明は、種々の形状の物品を吊り下げて保持するために使用する吊り下げ用ステッカに関する。
【背景技術】
【０００２】
現在市販されている物品において、例えば図７に示したヘアドライヤ１０１のように筐体やコードの一部に吊り下げ孔１０２を設けたものがあり、この吊り下げ孔１０２をフックに直接引っ掛けたり、または吊り下げ孔１０２に取り付けられたストラップ等を介してフックに引っ掛けたりして収納できるようにしている。
【０００３】
また、店舗での商品の販売形態として、陳列棚に取り付けた吊り下げ用の棒やフックに商品を吊り下げて販売することが行われている。例えば図８に示すように、商品を吊り下げ棒に吊り下げるための商品陳列用具１０３として、一端側は２枚のフィルム状のシート状基片１０３ａが貼り合わされるとともに、この貼り合わされた領域に吊り下げ孔１０３ｂが設けられ、この吊り下げ孔１０３ｂよりも他端に近い部分に基片どうしを固着する溶着領域１０３ｃが形成され、他端側の２枚の対向するシート状基片１０３ａの内側面に貼着部１０３ｄが形成され、この貼着部１０３ｄで平面形状の商品１０４の表裏両面に対して跨ぐ（挟む）ように貼り付けて使用するものがある（特許文献１参照）。なお、特許文献１では、商品メーカへの納入時において商品陳列用具自体が嵩張らず、効率よく輸送できることが求められているため、商品陳列用具を薄く平面的な形状にすることが記載されている。
【先行技術文献】
【特許文献】
【０００４】
【特許文献１】特開平１０−２８６３０号公報
【発明の概要】
【発明が解決しようとする課題】
【０００５】
一般に、吊り下げ孔が設けられていない物品については、そのままでは吊り下げて保持することができない。また、図７に示したヘアドライヤ１０１のように吊り下げ孔１０２を設けた物品であっても、吊り下げ孔１０２の環状部分が劣化して破損してしまうことがあり、破損後は吊り下げることができないため、このようなときに物品の筐体に後付けで吊り下げ孔を設けたい場合がある。
【０００６】
また、物品を吊り下げるための吊り下げ孔を後付けで筐体に取り付けるときに、その物品の重量バランス（重心）を考慮して適切な位置の筐体面に吊り下げ孔を取り付けたいことがある。またその際には、吊り下げ孔の取付位置が平面か曲面かによって制限されることなく吊り下げ孔を取り付けられることが望ましい。
【０００７】
種々の物品の筐体に吊り下げ孔を設ける際に、上記図８のようなフィルム状の商品陳列用具１０３を利用して吊り下げ孔を貼り付けることも考えられる。しかしながら図８の商品陳列用具１０３は、平面形状の商品の両側面を挟むようにして貼り付け、当該商品の平面を鉛直に垂らすようにして使用することが望ましいものである。このような状態で使用するときは、商品による重量が貼着面に対して平行な方向に力が加わって貼着面全体で商品の重量を支えることができるので、かなりの重量物まで吊り下げることができるが、平面形状以外の物品に貼着して使用された場合や鉛直方向に垂らすようにして使用されないときは、必ずしも十分な貼着力（粘着力）で付着させて使用することができない。
【０００８】
例えば、フィルム状の商品陳列用具１０３を、貼着面を左右に広げるようにしてヘアドライヤ等の曲面形状の筐体面上に貼り付けて吊り下げる場合を考える。図９に貼着部分を拡大した模式図として示すように、フィルム状の商品陳列用具１０３では、貼着部１０３ｄの広い範囲に均等に引き剥がす力が加わるのではなく、粘着剤の付着していない中央の非貼着部１０５近傍に対して引き剥がそうとする方向の力が集中的に偏って加わることになる。したがってヘアドライヤのような重量物を吊り下げたときには、貼着部１０３ｄの非貼着部１０５付近の貼着面から次第に剥がれてしまうことになる。
【０００９】
そこで本発明は、平面形状の物品の平面を鉛直方向に垂らすようにして吊り下げるのではなく、曲面形状を含む任意の形状の物品に対しても容易に吊り下げることができるとともに、簡単に剥がれることのない新規な物品吊り下げ用具としての吊り下げ用ステッカを提供することを目的とする。
【００１０】
また、吊り下げようとする物品の表面が（ヘアドライヤの筐体のように）曲面である場合であっても貼着面を十分に湾曲させて貼り付けることができ、しかも強い貼着力で物品に付着させておくことができる吊り下げ用ステッカを提供することを目的とする。
【課題を解決するための手段】
【００１１】
上記課題を解決するためになされた本発明の吊り下げ用ステッカは、板状のベース部と前記ベース部の表面側中央に立設する突起部とが合成樹脂材で一体成形され、前記ベース部の裏面側には接着手段を有する貼着部が形成され、前記突起部には前記ベース部の面方向に沿って貫通する吊り下げ孔が形成され、前記ベース部は、前記突起部が立設する中央の板厚が厚く形成され、かつ、少なくとも一軸方向に沿って周縁に近づくにつれて次第に薄く変化するように形成されるとともに周縁側で湾曲可能に形成される。
【００１２】
本発明によれば、ベース板の板厚は、中央部分が厚く、少なくとも一軸方向の周縁に近づくにつれて次第に薄くなるように形成されているので、ベース板中央を物品にしっかりと貼り付けることができ、板厚の薄い周縁側を大きく湾曲させることで、曲面に対しても貼着面全体をしっかりと付着させることができる。
そして、物品に貼着した状態で突起部に貼着面を引き剥がす方向の力が働いたときに、ベース部の中央部分が引き剥がす方向に湾曲（あるいは屈曲）してしまうと、上記図９の場合と同様に、中央部分に集中して引き剥がす力が加わることになるが、本発明ではベース部の中央部分を厚くして湾曲しにくい構造にしてあるので、引き剥がす力は貼着面の広い範囲にわたって分散して加わるようになり、その結果、引き剥がす力を強くしても貼着面が剥がれにくくなる。したがって、重量物に貼り付けた場合に突起部に対して大きな荷重が加えられても、十分に固着状態を維持することができるようになる。
【００１３】
上記発明において、前記突起部の吊り下げ孔の孔軸方向に沿ってベース部の板厚が変化するように形成されるようにしてもよい。
これによれば、突起部の吊り下げ孔の孔軸方向の幅を小さくして、中央部分における板厚を厚くする領域の幅を小さくすることができるので、ベース部の面積を小さくするとともに湾曲しやすくすることができる。
【００１４】
上記発明において、前記ベース部および前記突起部がＥＶＡ樹脂、ポリエチレン樹脂、ポリプロピレン樹脂、ナイロン樹脂のいずれかからなるようにするのが望ましい。
これらの合成樹脂は適度な柔軟性を与えることができるので、ベース部の周縁側をさらに湾曲しやすくすることができる。
【００１５】
上記発明において、前記ベース部の最大板厚が１．５ｍｍ以下であり、前記ベース部の最小板厚が０．１ｍｍ以上であるのが望ましい。
この数値範囲の板厚とすることにより、ベース部に十分な湾曲性を持たせることができるとともに、フィルム状シートに比べて、引き剥がす力に対する強度を十分に強くすることができる。
【発明の効果】
【００１６】
本発明によれば、種々の形状の物品、特に曲面形状の物品に貼着して簡単に吊り下げることができる。
【図面の簡単な説明】
【００１７】
【図１】本発明の一実施形態である吊り下げ用ステッカの構成を示す斜視図。
【図２】図１の吊り下げ用ステッカの長手方向中央部分の拡大断面図。
【図３】図１の吊り下げ用ステッカをヘアドライヤに用いた状態を示す図。
【図４】図１の吊り下げ用ステッカを筆記具に用いた状態を示す図。
【図５】本発明の他の一実施形態である吊り下げ用ステッカを示す斜視図。
【図６】本発明の他の一実施形態である吊り下げ用ステッカを示す斜視図。
【図７】吊り下げ孔が設けられたヘアドライヤを示す図。
【図８】従来の商品陳列用具を示す図。
【図９】図８の商品陳列用具をヘアドライヤに転用した場合の部分拡大模式図。
【発明を実施するための形態】
【００１８】
以下、本発明の吊り下げ用ステッカを図面に基づいて説明する。図１は本発明の一実施形態である吊り下げ用ステッカ１０の構成を示す斜視図であり、図２はその長手方向中央部分における拡大断面図である。
【００１９】
この吊り下げ用ステッカ１０は、板状のベース部１１と、ベース部１１の表面中央に立設する突起部１２とが合成樹脂材で一体成形されている。使用する合成樹脂材はＥＶＡ樹脂が好適であるが、ポリエチレン樹脂、ポリプロピレン樹脂、ナイロン樹脂等を用いてもよい。樹脂材は見栄えの観点から透明や半透明とする他、模様や色を付けてもよい。
ベース部１１は平面視で略方形にしてある。本実施形態において突起部１２には、ベース部１１の長手方向に孔軸方向を向けた吊り下げ孔１３が形成してある。ベース部１１の板厚は、ベース部１１中央に設けられた突起部１２の直下を最も厚く形成し、ベース部１１の長手方向に沿って周縁に近づくにつれて次第に薄くなるように形成し、これにより最も厚い中央部分は湾曲しにくく周縁側で湾曲する構造にしてある。
【００２０】
なお、ベース部１１の長手方向と直交する方向の板厚は一定にしてあり、したがってベース部１１は長手方向に湾曲しやすく、長手方向と直交する方向には中央部分の板厚が全幅にわたって厚くしてあるため湾曲しにくい構造になっている。
図１において、これとは逆にベース板１１の長手方向の板厚を一定にし、長手方向と直交する方向の板厚を周縁側が薄くなるように変化させてもよいが、突起部１２の長手方向に沿って湾曲させることになるので前者よりも中央部分が湾曲しにくくなる。
【００２１】
突起部１２は吊り下げ孔１３の孔軸方向の幅をできるだけ小さくすることにより、板厚が最も厚い領域（突起部１２直下の領域）の幅を小さくすることができる。このようにして長手方向の長さを短くすることによって湾曲しやすくすることができる。
【００２２】
ベース部１１の裏面は貼着部１４として使用され、この面に本実施例では両面テープ１４が固着してある。なお、両面テープ１４に代えて接着剤等の粘着物質を塗布してもよいし、貼着部１４を熱溶着させることによって被貼着面に固着されるようにしてもよい。
【００２３】
図３は吊り下げ用ステッカ１０を市販のヘアドライヤ１５の筐体に貼着した状態を示す図であり、図４は吊り下げ用ステッカ１０を筆記具１６に貼着した状態を示す図である。吊り下げステッカ１０は湾曲させることにより、貼着部１４の全面がヘアドライヤ１５および筆記具１６の円筒状の筐体面（曲面）にしっかりと付着するようになる。このように本実施形態の吊り下げステッカ１０は一軸方向に湾曲しやすくしてあるので、特に円筒面を有する物品に対して効果的に取り付けることができる。
【００２４】
図５は本発明の他の一実施形態である吊り下げ用ステッカ２０の構成を示す斜視図である。この吊り下げ用ステッカ２０はベース部２１が十字形であり、中央の板厚を厚く、十字方向の各周縁を薄くして湾曲しやすくしてある。これにより、筐体が球面２２の場合でもしっかりと付着させることができる。
【００２５】
また、図６は本発明の他の一実施形態である吊り下げ用ステッカ３０の構成を示す斜視図である。この吊り下げ用ステッカ３０はベース部３１が円板形であり、ベース部３１の中央の板厚が厚く、全周にわたって周縁が薄くなるようにして湾曲しやすくしてある。このような形状にすることにより、筐体が比較的緩やかな球面である場合にしっかりと付着させることができる。
【００２６】
以上本発明の代表的な実施形態について説明したが、本発明は必ずしも上記の実施形態に特定されるものでなく、本発明の趣旨を逸脱しない範囲内で適宜修正、変更することができる。
【産業上の利用可能性】
【００２７】
本発明は物品を吊り下げるための吊り下げ用ステッカとして利用できる。
【符号の説明】
【００２８】
１０、２０、３０：  吊り下げ用ステッカ
１１、２１、３１：  ベース部
１２：  突起部
１３：  吊り下げ孔
１４：  貼着部
【図１】
2016158781.tif 000003
【図２】
2016158781.tif 000004
【図３】
2016158781.tif 000005
【図４】
2016158781.tif 000006
【図５】
2016158781.tif 000007
【図６】
2016158781.tif 000008
【図７】
2016158781.tif 000009
【図８】
2016158781.tif 000010
【図９】
2016158781.tif 000011